(57)【要約】【課題】本発明はアンテナを着脱可能に設けることが可能な電子機器を提供することを目的とする。【解決手段】アンテナ台５１０は、中板５０１から略直立状態でアンテナ４１８を保持する斜面部５１１および、中板５０１と平行状態でアンテナ４１９を保持する上面部５１２を有する。上面部５１２は、中板５０１の開口部５０２の上方に位置するように設けられた開口部５１４を有し、開口部５０２から排出される暖かい空気の流れを遮らないように設けられる。斜面部５１１及び上面部５１２にはアンテナ４１８、４１９を保持する保持部５１５、５１６が設けられており、それぞれアンテナ４１８、４１９を略水直状態と水平状態に保持する。アンテナ４１８、４１９は夫々基板上に給電素子４３１、４３２が設けられており、この給電素子４３１、４３２には、同軸ケーブル４４１、４４２が接続されている。【選択図】  図３
2004302732.tif 000002
【特許請求の範囲】
【請求項１】
無線通信に用いられる平板上の第１のアンテナと平板上の第２のアンテナとが設けられるアンテナ実装部材と、
前記アンテナ実装部材が設けられる板部とを具備し、
前記アンテナ実装部材は、前記第１のアンテナの平板面と前記板部の板面とを平行状態で前記第１のアンテナを保持する第１の保持部と、前記第２のアンテナの平板面と前記板部の板面とが略垂直状態で前記第２のアンテナを保持する第２の保持部とを有すること
を特徴とする電子機器。
【請求項２】
前記第１及び第２のアンテナは矩形状に形成されており、前記アンテナ実装部材は前記第１および第２のアンテナが有する平行する２辺を系止するツメ部と、他の２辺を支持する支持部を有することと特徴とする請求項１に記載の電子機器。
【請求項３】
前記アンテナ実装部材は、前記板部の幅に対する中心線上に位置するように設けられることを特徴とする請求項２に記載の電子機器。
【請求項４】
前記アンテナ実装部材は前記板部の長さに対する中心線上から外れる位置に設けられることを特徴とする請求項３に記載の電子機器。
【請求項５】
前記板部には、アンテナを含む無線通信カードを脱着可能に保持する保持部が設けられていることを特徴とする請求項３に記載の電子機器。
【請求項６】
前記保持部は前記中心線上から外れる位置に設けられることを特徴とする請求項５に記載の電子機器。
【請求項７】
前記板部には、開口部が設けられていることを特徴とする請求項２に記載の電子機器。
【請求項８】
前記アンテナ実装部材は、前記開口部上に位置するように設けられ、前記アンテナ実装部材は前記開口部と対向する位置に開口部を有することを特徴とする請求項７に記載の電子機器。
【請求項９】
前記第２のアンテナは前記板部に対する垂線から５度乃至１５度の範囲で傾いて保持されることを特徴とする請求項８に記載の電子機器。
【請求項１０】
本体と、
前記本体に設けられ無線通信を行う無線通信モジュールと、
前記無線通信モジュールに接続される第１のアンテナと、
前記無線通信モジュールに接続される第２のアンテナと、
前記本体に設けられ、前記第１のアンテナと、前記第２のアンテナとを保持する保持部材と
を有することを特徴とする電子機器。
【請求項１１】
前記第１及び第２のアンテナは矩形であり、前記保持部は前記第１および第２のアンテナが有する平行する２辺を系止するツメ部と、他の２辺を支持する支持部を有することと特徴とする請求項１０に記載の電子機器。
【請求項１２】
前記本体は、前記保持部を設ける板部を有することを特徴とする請求項１１に記載の電子機器。
【請求項１３】
前記第１のアンテナ及び前記第２のアンテナは平板状に形成されており、
前記保持部材は前記第１のアンテナの平板面が前記板部に対して平行状態となるように前記第１のアンテナを保持し、前記第２のアンテナの平板面が前記板部に対して略垂直状態になるように前記第２のアンテナを保持することを特徴とする請求項１２に記載の電子機器。
【請求項１４】
前記保持部は、前記板部の幅に対する中心線上に位置するように設けられることを特徴とする請求項１３に記載の電子機器。
【請求項１５】
前記板部には、アンテナを含む無線通信カードを脱着可能に保持する保持部が設けられていることを特徴とする請求項１４に記載の電子機器。
【請求項１６】
前記板部には、開口部が設けられていることを特徴とする請求項１３に記載の電子機器。
【請求項１７】
前記保持部は、前記開口部上に位置するように設けられ、前記保持部は前記開口部と対向する位置に開口部を有することを特徴とする請求項１６に記載の電子機器。
【請求項１８】
前記板部には、前記本体内の空気を排出するファン部材が設けられていることを特徴とする請求項１７に記載の電子機器。
【請求項１９】
本体と、
前記本体に設けられ無線通信を行う無線通信モジュールと、
前記無線通信モジュールに接続される第１のアンテナと、
前記無線通信モジュールに接続される第２のアンテナと、
前記本体に設けられ、前記第１のアンテナと、前記第２のアンテナとを保持する保持部材と、
前記保持部を設ける板部と、
前記板部及び前記保持部を覆うと共に本体に着脱可能なカバー部とを有し、
前記第１のアンテナ及び前記第２のアンテナは平板状に形成されており、
前記保持部材は前記第１のアンテナの平板面が前記板部に対して平行状態となるように前記第１のアンテナを系止する第１のツメ部と、前記第２のアンテナの平板面が前記板部に対して略垂直状態になるように前記第２のアンテナを保持する第２のツメ部と
を有することを特徴とする電子機器。
【発明の詳細な説明】
【０００１】
【発明の属する技術分野】
本発明は、無線通信可能な電子機器に関し、特にアンテナ配置技術に関する。
【０００２】
【従来の技術】
近年、無線ＬＡＮ技術の普及によって、ノートパソコン等の電子機器にも無線ＬＡＮを内蔵したものが増えてきている。
【０００３】
無線ＬＡＮを内蔵する方法としては、無線ＬＡＮの機能を備えたＰＣカードを内蔵する方法や、ＭｉｎｉＰＣＩ等の無線ＬＡＮ用モジュールとアンテナを同軸ケーブルで接続したものを内蔵する方法がある。無線ＬＡＮ用モジュールとアンテナを使用する方法では、モジュールとアンテナを別の場所に実装できるので、アンテナの位置を自由に決めることができる。
【０００４】
また、無線通信の通信性能を向上させるためには、アンテナの周囲が十分な空間であることが望ましい。しかし、電子機器内部には狭い空間しかなく、アンテナを金属等の近くに置くと、特性周波数が変わってしまい著しく通信性能が低下するため、従来の方法ではアンテナをプラスチックの筐体等に両面テープで貼り付けていた（例えば特許文献１）。
【０００５】
【特許文献１】
特開２００３−３７４１６公報
【０００６】
【発明が解決しようとする課題】
上記した従来技術においては、金属等の近くにアンテナを貼り付けると通信性能が著しく低下するため、アンテナの実装位置が限られるという問題があった。
【０００７】
また、アンテナを筐体へ両面テープで貼ることによって、一旦アンテナを筐体に貼り付けるとアンテナを取り外すことが困難になり、アンテナの修理を行うことが難しくなるという問題点があった。
【０００８】
上記課題を解決するために、本発明はアンテナを着脱可能に設けることが可能な電子機器を提供することを目的とする。
【０００９】
【課題を解決するための手段】
上記目的を達成するために、請求項１にかかる発明では、  無線通信に用いられる平板上の第１のアンテナと平板上の第２のアンテナとが設けられるアンテナ実装部材と、アンテナ実装部材が設けられる板部とを具備し、アンテナ実装部材は、第１のアンテナの平板面と板部の板面とを平行状態で第１のアンテナを保持する第１の保持部と、第２のアンテナの平板面と板部の板面とが略垂直状態で第２のアンテナを保持する第２の保持部とを有することを特徴とする。
【００１０】
このような構成により、アンテナを着脱可能に設けることが可能な電子機器を提供することが可能である。
【００１１】
また、請求項１０にかかる発明では、本体と、本体に設けられ無線通信を行う無線通信モジュールと、無線通信モジュールに接続される第１のアンテナと、無線通信モジュールに接続される第２のアンテナと、本体に設けられ、第１のアンテナと、第２のアンテナとを保持する保持部材とを有することを特徴とする。
【００１２】
このような構成により、アンテナを着脱可能に設けることが可能な電子機器を提供することが可能である。
【００１３】
また、請求項１９に係る発明では、本体と、本体に設けられ無線通信を行う無線通信モジュールと、無線通信モジュールに接続される第１のアンテナと、無線通信モジュールに接続される第２のアンテナと、本体に設けられ、第１のアンテナと、第２のアンテナとを保持する保持部材と、保持部を設ける板部と、板部及び保持部を覆うと共に本体に着脱可能なカバー部とを有し、第１のアンテナ及び第２のアンテナは平板状に形成されており、保持部材は第１のアンテナの平板面が板部に対して平行状態となるように第１のアンテナを系止する第１のツメ部と、第２のアンテナの平板面が板部に対して略垂直状態になるように第２のアンテナを保持する第２のツメ部とを有することを特徴とする。
【００１４】
このような構成により、アンテナを着脱可能に設けることが可能な電子機器を提供することが可能である。
【００１５】
【発明の実施の形態】
以下本発明に係る実施形態を、図面を参照して説明する。
【００１６】
図１には、本発明の実施形態に係る電子機器（ワイヤレスＡＶ（オーディオ・ビデオ）ステーション）を用いたシステム構成図を示す。
【００１７】
このホームネットワークシステムは、ワイヤレスＡＶステーション１０１およびノートブックタイプのパーソナルコンピュータ２０１やその他無線通信可能な各種情報処理端末などから構成される。ワイヤレスＡＶステーション１０１は、ホームネットワークサーバ装置として機能する無線電送装置であり、家庭内のパーソナルコンピュータ２０１などの各情報処理端末に対して、ＴＶ放送による放送番組データの視聴やインターネット閲覧等に関するサービスを無線によって提供する。
【００１８】
ワイヤレスＡＶステーション１０１は、例えばＩＳＤＮ、ＡＤＳＬ、ＣＡＴＶなどの通信回線１１を介して、インターネット１２などの外部のグローバルネットワーク（外部ネットワーク）に接続されている。さらに、ワイヤレスＡＶステーション１０１は、無線通信デバイス及び有線通信デバイスを内蔵しており、ネットワークを構成する有線または無線のネットワークを介して、各種情報処理端末と通信可能である。ノートブックタイプのパーソナルコンピュータ２０１には、無線通信デバイスが設けられており、これらノートブックタイプのパーソナルコンピュータ２０１とワイヤレスＡＶステーション１０１とは無線通信が可能である。
【００１９】
ワイヤレスＡＶステーション１０１の外見は、回路基板及び各種デバイスを内蔵する本体２と、本体２に取外し可能に設けられ本体２とともに外形を構成する上部カバー３と、ワイヤレスＡＶステーション１０１の状態などを表示する表示部４と、本体２に設けられる各種コネクタ類（図示せず）カバーする前面カバー５とを有する。
【００２０】
ワイヤレスＡＶステーション１０１は、パーソナルコンピュータ２０１をインターネット１２に接続し、インターネット１２上のＷＥＢサイトやサーバａ、ｂ、ｃとパーソナルコンピュータ２０１との間のデータ送受信の中継点となる。またパーソナルコンピュータ３０１と有線ＬＡＮ１３を介して接続されており、有線ＬＡＮ１３を介してパーソナルコンピュータ３０１をインターネット１２に接続し、インターネット１２上のＷＥＢサイトやサーバａ、ｂ、ｃとパーソナルコンピュータ２０１との間のデータ送受信の中継点となる。
【００２１】
さらに、ワイヤレスＡＶステーション１０１はＴＶ放送受信アンテナ１４から引き回されたアンテナケーブル１５も接続されており、ＴＶ放送番組データは、ワイヤレスＡＶステーション１０１で受信可能である。ワイヤレスＡＶステーション１０１は、受信したＴＶ放送番組データを、無線ＬＡＮを介してノートブックタイプのパーソナルコンピュータ２０１に無線通信を介して送信したり、有線ＬＡＮ１３を介してパーソナルコンピュータ３０１へ送信することができる。
【００２２】
図２にワイヤレスＡＶステーションの機器構成図を示す。
【００２３】
図２に示すように、ワイヤレスＡＶステーション１０１は、大別して、ＭＰＥＧ部２１、ＣＰＵ部３１および通信部４１の３つコンポーネントから構成されている。これらＭＰＥＧ部２１、ＣＰＵ部３１および通信部４１は、ＰＣＩバスなどのバス５１にそれぞれ接続されている。
【００２４】
ＭＰＥＧ部２１は、ＴＶ放送番組データの受信処理およびその受信したＴＶ放送番組データを圧縮符号化するエンコード処理、さらには圧縮符号化されたＴＶ放送番組データを復号するデコード処理などを実行する。このＭＰＥＧ部２１には、図示のように、ＴＶチューナ２１１、ＮＴＳＣデコーダ２１２、音声多重デコーダ２１３、オーディオＡ／Ｄコンバータ（オーディオＡＤＣ）２１４、ＭＰＥＧ２エンコーダ２１５、ＲＡＭ２１６、ＰＣＩバスインターフェース（ＰＣＩ−ＩＦ）２１７、ＭＰＥＧ２デコーダ２１８、ＲＡＭ２１９、オーディオＤ／Ａコンバータ（オーディオＤＡＣ）２２０などが設けられている。
【００２５】
ＴＶチューナ２１１は、ＴＶアンテナコネクタ２２１を介してＴＶアンテナケーブル１４に接続されている。ＴＶチューナ２１１は、パーソナルコンピュータ２０１またはリモコンユニットから視聴要求されたチャネルのＴＶ放送番組データを受信するためのものであり、視聴要求に基づいて、ＴＶ放送信号の受信及びチャネル選択を行う。ＴＶチューナ２１１によって受信された、あるチャネルのＴＶ放送番組データのビデオ信号は、ＮＴＳＣデコーダ２１２に送られ、デジタルデータへの変換処理が施される。また、オーディオ信号は音声多重デコーダ２１３からオーディオＡＤＣ２１４へ送られデジタル信号へ変換される。
【００２６】
ＮＴＳＣデコーダ２１２は、ビデオ入力端子２２２にも接続されており、例えばＤＶＤプレイヤやＶＣＲなどの外部のビデオ機器からビデオ信号を入力することもできる。ＴＶ放送番組データに重畳されている音声多重信号は音声多重デコーダ２１３で復調された後、オーディオＡ／Ｄコンバータ（オーディオＡＤＣ）２１４に送られ、そこでデジタルデータに変換される。オーディオＡ／Ｄコンバータ（オーディオＡＤＣ）２１４は、オーディオ入力端２２３にも接続されており、外部のビデオ・オーディオ機器からオーディオ信号を入力することもできる。
【００２７】
ＭＰＥＧ２エンコーダ２１５は、入力されたビデオおよびオーディオデータをそれぞれ圧縮符号化する。この圧縮符号化にはＭＰＥＧ２が用いられている。ＲＡＭ２１６は、ＭＰＥＧ２エンコーダ２１５が圧縮符号化処理を行うための作業メモリとして用いられる。ＴＶチューナ２１１によって受信されたＴＶ放送番組データはＭＰＥＧ２エンコーダ２１５によって圧縮符号化されて、ＭＰＥＧ２ストリームに変換される。
【００２８】
バスインターフェース（バス−ＩＦ）２１７は、ＭＰＥＧ部２１をバス５１に接続するインターフェースであり、バス５１を介してＣＰＵ部３１および通信部４１それぞれとの通信を行うために用いられる。バスインターフェース（バス−ＩＦ）２１７には、ＣＰＵ部３１がアクセス可能なレジスタ群が内蔵されておれ、ＴＶチューナ２１１およびＭＰＥＧ２エンコーダ２１５それぞれの動作は、ＣＰＵ部３１がレジスタ群にセットするコマンドに応じて制御される。
【００２９】
ＭＰＥＧ２デコーダ２１８は、ＭＰＥＧ２形式に圧縮符号化されたＴＶ放送番組データを復号する。例えば、ＨＤＤ３１４に記録されている圧縮符号化されたＴＶ放送番組データをパソコン２０１で視聴する場合には、ＨＤＤ３１４から読み出された圧縮符号化されたＴＶ放送番組データがバスインターフェース２１７を介してＭＰＥＧ２デコーダ２１８に送られ、そこで復号（伸張）される。
【００３０】
ＲＡＭ２１９は、ＭＰＥＧ２デコーダ２１８が復号処理を行うための作業メモリとして用いられる。このＭＰＥＧ２デコーダ２１８の動作も、ＣＰＵ部３１がＰＣＩバスインターフェース２１７内のレジスタ群にセットするコマンドによって制御される。
【００３１】
ＭＰＥＧ２デコーダ２１８によって復号されたビデオデータはグラフィックス２２１を経由した後ビデオ出力端子２２５を介してＴＶ受像機１０２などに送られ、またＭＰＥＧ２デコーダ２１８によって復号されたオーディオデータは、必要に応じてオーディオＤ／Ａコンバータ（オーディオＤＡＣ）２２０にてアナログ信号に変換された後に、オーディオ出力端子２２４から外部のオーディオ／ビデオ機器に出力される。
【００３２】
さらに、本実施形態においては、ＭＰＥＧ２デコーダ２１８によって復号処理されたＴＶ放送番組データをＭＰＥＧ２エンコーダ２１５に送信して、そこで再度圧縮符号化処理を行うこともできる。これは、ＨＤＤ３１４に記録されている圧縮符号化されたＴＶ放送番組データの伝送レート（ビットレート）を、無線送信用の特定の伝送レートに変換するダウンコンバート処理のために用いられる。
【００３３】
すなわち、ＨＤＤ３１４に記録すべきＴＶ放送番組データの画質（低画質、標準画質、高画質）に応じて、ＭＰＥＧ２エンコーダ２１５による圧縮符号化処理で得られるＴＶ放送番組データの伝送レート（ビットレート）は異なる。高画質を選択した場合には、ＨＤＤ３１４には非常に高い伝送レートで圧縮符号化されたＴＶ放送番組データが記録されることになる。この場合、無線通信の帯域では当該ＴＶ放送番組データをリアルタイム送信することができない場合もある。このような場合には、無線送信すべきＴＶ放送番組データの伝送レートを無線送信用の特定の伝送レートに低下させるためのダウンコンバート処理が自動的に実行される。
【００３４】
ＣＰＵ部３１は、チューナ／ＭＰＥＧ部２１のＴＶチューナ２１１、ＭＰＥＧ２エンコーダ２１５およびＭＰＥＧ２デコーダ２１８の制御を行うとともに、ＨＤＤ３１４へのデータの書き込みおよびＨＤＤ３１４からのデータ読み出しの制御を行う。また、ＣＰＵ部３１は、通信部４１との通信によって、パーソナルコンピュータ２０１から送信されるＴＶ視聴に関するコマンドを受信したり、パーソナルコンピュータ２０１に送信すべきＴＶ放送番組データを通信部４１に送信する。ＣＰＵ部３１は、ＣＰＵ３１１と、ＣＰＵ３１１のＣＰＵバスとバス５１とを接続するブリッジ回路３１２と、主メモリ３１３とＨＤＤ３１４から構成されている。
【００３５】
通信部４１は、それ単独で無線ＬＡＮルータとして動作可能な通信制御装置である。通信部４１は、パーソナルコンピュータ２０１に無線接続可能に構成されており、また有線ＬＡＮを介して他のパーソナルコンピュータにも接続可能である。通信部４１は、パーソナルコンピュータ２０１から送信される要求に応じて、それらパーソナルコンピュータ２０１をインターネット１２に接続してパーソナルコンピュータ２０１それぞれとインターネット１２との間のデータの送受信を行う。
【００３６】
通信部４１には、制御プロセッサ４１１、ＲＡＭ４１２、ネットワークコントローラ４１４、第１の無線通信デバイス４１５、第２の無線通信デバイス４１６、ＷＡＮコネクタ４２０およびＬＡＮコネクタ４２１などが設けられている。
【００３７】
制御プロセッサ４１１は、ネットワークコントローラ４１４および第１の無線通信デバイス４１５、第２の無線通信デバイス４１６を制御することにより、パーソナルコンピュータ２０１それぞれとインターネット１２との間のデータの送受信を制御する。具体的には、制御プロセッサ４１１には通信部４１を無線ルータとして動作させるために必要な機能として、ＩＰマスカレード機能、ＮＡＴ機能、ＤＨＣＰ機能等が含まれている。さらに、制御プロセッサ４１１はネットワークコントローラ４１４に接続された第１の無線通信デバイス４１５または第２の無線通信デバイス４１６を介してパーソナルコンピュータ２１０から受信したＴＶ視聴に関する要求（コマンド）などをバス５１を介してＣＰＵ３１１に通知したり、ネットワークコントローラ４１４を介して有線ＬＡＮ上のパーソナルコンピュータから受信したＴＶ視聴に関する要求（コマンド）などをバス５１を介してＣＰＵ３１１に通知する機能を有している。
【００３８】
さらに、制御プロセッサ４１１は、バス５１またはネットワークコントローラ４１４を介してＣＰＵ３１１から転送されるＴＶ放送番組データを受信した場合には、そのＴＶ放送番組データを第１の無線通信デバイス４１５、第２の無線通信デバイス４１６またはネットワークコントローラ４１４を介して要求元のパーソナルコンピュータに送信するための機能を有している。この場合、要求元のパーソナルコンピュータへのＴＶ放送番組データの送信処理は、そのパーソナルコンピュータとインターネット１２との間のデータの送受信と並行して行われる。
【００３９】
例えば、通信部４１と無線接続可能なパーソナルコンピュータ２０１がワイヤレスでインターネット閲覧を行っているときに、そのパーソナルコンピュータ２０１から要求されたＴＶ番組データをパーソナルコンピュータ２０１に無線で送信する場合においては、制御プロセッサ４１１は、インターネット１２上のＢサーバから受けたコンテンツデータと、チューナ／ＭＰＥＧ部２１によって圧縮符号化されたＴＶ放送番組データとが無線通信によって時分割でパーソナルコンピュータ１０３に送信されるように、第１の無線通信デバイス４１５、第２の無線通信デバイス４１６またはネットワークコントローラ４１４を制御する。具体的には、制御プロセッサ４１１では、コンテンツデータと圧縮符号化されたＴＶ放送番組データとを多重化する処理が行われ、多重化されたコンテンツデータとＴＶ放送番組データとが無線通信によって時分割でパーソナルコンピュータ１０３に送信される。このように、コンテンツデータとＴＶ放送番組データとを互いに独立したデータとしてパーソナルコンピュータ１０３に送ることにより、パーソナルコンピュータ１０３では、それらコンテンツデータおよびＴＶ放送番組データをそれぞれ対応するアプリケーションプログラムを用いて同時に表示することができ、またコンテンツデータおよびＴＶ放送番組データそれぞれのウインドウの表示位置および表示サイズもそれぞれ対応するアプリケーションプログラムによって自由に変更することができる。
【００４０】
ネットワークコントローラ４１４は、ＷＡＮコネクタ４２０を介したインターネット１２との間のデータ送受信と、ＬＡＮコネクタ４２１を介した家庭内有線ＬＡＮとの間のデータ送受信とを制御するネットワーク制御デバイスであり、第１の無線通信デバイスの制御も行う。
【００４１】
第１の無線通信デバイス４１５は無線通信を介してパーソナルコンピュータ２０１との間のデータ送受信を行う無線通信デバイスであり、アンテナ４１７を介してパーソナルコンピュータ２０１と無線通信する。この第１の無線通信デバイス４１５としては、例えばＩＥＥＥ８０２．１１ｂ等の規格に対応したものが用いられる。
【００４２】
また第２の無線通信デバイス４１６は無線通信を介してパーソナルコンピュータ２０１との間のデータ送受信を行う無線通信デバイスであり、アンテナ４１８，４１９を介してパーソナルコンピュータ２０１と無線通信する。この第２の無線通信デバイス４１５としては、例えばＩＥＥＥ８０２．１１ａ等の規格に対応したものが用いられる。
【００４３】
ＷＡＮコネクタ４２０は、インターネット１２との間のデータの送受信に用いられるブロードバンド用端子でる。ＬＡＮコネクタ４２１は家庭内の有線ＬＡＮに接続される。
【００４４】
次に図３にワイヤレスＡＶステーションのカバーを外した場合のワイヤレスＡＶステーションの斜視図を示す。
【００４５】
上部カバー３は本体２の系合部５００と系合するように設けられ、通常ＡＶワイヤレスステーション１０１が使用される際は、上部カバー３が外れないよう、さらにネジ等により固定されている。本体２の上部には中板５０１が設けられており、この中板５０１には複数の開口部５０２が設けられている。中板５０１は、上部カバー３が外された状態で露出される。また中板５０１の開口部５０２を若干覆う形でアンテナ４１８，４１９を設置するアンテナ台５１０が設けられている。なお、中板５０１には、さらに第１の無線通信デバイス４１５を挿入するスロット５０３が設けられている。
【００４６】
開口部５０２は、本体２内に設けられている図２で説明した各種デバイスが動作することで熱せられた空気を上方へ逃がすための排出口の役割を果たす。
【００４７】
アンテナ台５１０は、中板５０１から略直立状態でアンテナ４１８を保持する斜面部５１１および、中板５０１と平行状態でアンテナ４１９を保持する上面部５１２および中板５０１から直立状態で上面部５１２と連続する後面５１３を有する。上面部５１２は、中板５０１の開口部５０２の上方に位置するように設けられた開口部５１４を有し、開口部５０２から排出される暖かい空気の流れを遮らないように設けられる。また後面５１３にも開口部が設けられている。開口部５０２から排出される空気は開口部５１４及び後面５１３に設けられた開口部を介して、上部カバー３内の後方へ流される。
【００４８】
斜面部５１１及び上面部５１２にはアンテナ４１８、４１９を保持する保持部５１５、５１６が設けられており、それぞれアンテナ４１８、４１９を略水直状態と水平状態に保持する。斜面部５１１は、中板５０１の垂線から約１０度傾いて形成されており、保持部５１５も同様に約１０度傾いている。このため、保持部５１５はアンテナ４１８を垂直方向から約１０度傾いた状態で保持する。上面部５１２は保持部５１６と開口部５１４とを有している。開口部５１４は、斜面部５１１と保持部５１６との間に設けられており、中板５０１の上方に位置する。アンテナ４１８、４１９は夫々基板上に給電素子４３１、４３２が設けられており、この給電素子４３１、４３２には、同軸ケーブル４４１、４４２が接続されている。この同軸ケーブル４４１、４４２は本体２内の図示しない第２の無線通信デバイス４１６と接続されている。この同軸ケーブル４４１、４４２を介してアンテナ４１８，４１９と第２の無線通信デバイス４１６との間で信号の送受信が行われる。また、ホルダ５１７は、この同軸ケーブル４４１、４４２を本体２内へ導くための開口部であり、中板５０１に設けられた開口部上に位置し、同軸ケーブル４４１、４４２を本体２内へ導いている。また、ホルダ５１７は同軸ケーブル４４１、４４２を所定の状態で保持するように設けられている。
【００４９】
またアンテナ台５１０の上面部５１２に設けられた保持部５１６はアンテナ４１９を保持するためのツメ部５１８、５１９により保持される。このツメ部５１８、５１９によるアンテナ保持構造とすることで、アンテナ４１９を修理等で取り外す必要がある場合でも容易に取り外しが可能である。なお、アンテナ４１８は中板５０１に対する垂線から約１０度傾いた状態で保持されている。なお、傾斜角度は５度乃至３０度程度の角度の範囲で設定される。
【００５０】
このアンテナ台５１０に設けられた夫々のアンテナの放射特性はほぼ同じものとし、このように平板状のアンテナを水平状態、垂直状態に置くことで、水平方向と垂直方向の放射特性が得られる。
【００５１】
また本体２から開口部５０２を介して排出される空気は、アンテナ台５１０に設けられた開口部５１４および後面５１３に設けられた開口部を介して上部ケース３内の後方へ導かれる。
【００５２】
またスロット５０３にはＰＣカードタイプの第１の無線通信デバイス４１５が挿入されている。この第１の無線通信デバイス４１５はアンテナ４１７が設けられている部分と信号の変復調を行う無線通信モジュールが設けられている部分とを有し、アンテナ４１７が設けられている部分は本体２から突出するように設けられている。
【００５３】
図４にアンテナ台の３面図を示す。
【００５４】
図４の（ａ）にアンテナ台の上面図を示し、（ｂ）にアンテナ台の側面図を示し、（ｃ）にアンテナ台の背面図を示す。
【００５５】
アンテナ台５１０は上述したように、アンテナ４１８、４１９を略垂直状態、水平状態で固定するものであり、プラスチックにより一体成形されている。
【００５６】
保持部５１５はアンテナ４１８の下方を支持する支持部５２０を有し、アンテナ４１８が下方にずれないように支持する。またツメ５１８により左右方向にアンテナ４１８が移動しないように支持する。ツメ５１８は弾性を有しており、外側に開くことが可能である。アンテナ４１８を設置する場合はツメ５１８を外側に開き、アンテナ４１８を保持部５１５に設置する。アンテナ４１８と保持部５１５とは接着剤などを使わずに固定することが可能であり、アンテナ４１８はツメ５１８により左右方向と斜面部５１１に対して平行方向にずれることを防ぐことが可能である。またアンテナ４１８を取り出す際は、ツメ５１８を外側へ広げることで容易に取り出すことが可能である。
【００５７】
上面部５１２には空気の流れを妨げないよう開口部５１４が設けられている。保持部５１６はアンテナ４１９を左右の２辺を系止するツメ部５１９と、前後の２辺を支持する支持部５２１とを有する。これにより、アンテナ４１９と保持部５１６とは接着剤などを使わずに、アンテナ４１９は、ツメ５１９により左右方向と前後方向に対してずれることを防ぐことが可能である。ツメ５１９は弾性を有しており、外側に開くことが可能であるため、ツメ５１９を外側に開き、アンテナ４１９の設置及び取り外すことが可能である。
【００５８】
次に、図５に上部カバーを外した場合のワイヤレスＡＶステーションの上面図を示す。
【００５９】
アンテナ台５１０は本体２の幅方向の中心線（一点鎖線）上に設けられる。アンテナ４１８、４１９の近くに誘電体を近接させた場合周波数が低下する傾向にあるため、アンテナ４１８、４１９は本体２や上部カバー３と接するように設けることは好ましくない。このため、アンテナ４１８、４１９と本体２および上部カバー３との距離を設ける方が好ましく、アンテナ台５１０により本体２および上部カバー３と接しないように設置される。なお、アンテナ台５１０はプラスチックで成形されているためアンテナ４１８、４１９の周波数特性へ影響を与えることは少ない。
【００６０】
中板５０１は、開口部５０２が設けられる第１のエリア６０１と開口部５０２が設けられない第２のエリア６０２とを有する。第１のエリア６０１は、開口部５０２が設けられており、開口部５０２は本体２の一方の側面側に偏って設けられる。一方、第２のエリア６０２は、本体２の他方側面側であり、スロット５０３が設けられている。
【００６１】
アンテナ台５１０は第１のエリア６０１と第２のエリア６０２とに渡って設けられるが、アンテナ台５１０の開口部５１４は第１のエリア６０１上に位置するように設けられている。
【００６２】
また、中板５０２にはアンテナ台５１０の後方にファン５５１が設けられており、上部カバー３内の空気を外部へ排出する。ファン５５１も本体２の幅方向の中心線（一点鎖線）上に設けられる。このファン５５１も第１のエリア６０１と第２のエリア６０２とに渡って設けられている。
【００６３】
図５中、空気の流れの模式図を矢印で示す。本体２から開口部５０２を介して導かれる空気はアンテナ台５１０の開口部５１４および後面５１３に設けられている開口部を介してファン５５１によりワイヤレスＡＶステーション１０１の後方より排出される。アンテナ台５１０の開口部５１４の下方に位置する中板５０１の開口部５０２から排出される空気は、開口部５１４を介してアンテナ台５１０の上面部５１２へ導かれる。一方、保持部５１６の下方に位置する中板５０１の開口部５０２から排出される空気は、上面部５１２の下面に当たり、後面５１３に設けられる開口部を介して上部カバー３内の後方へ導かれる。
【００６４】
続いて図６にワイヤレスＡＶステーションの側面図を示す。図６の側面図は空気の流れを模式的に示したものである。
【００６５】
本体２内は回路基板５６１が設けられており、回路基板５６１には、図２で説明した各種デバイスが設けられている。
【００６６】
本体２内では、図２で説明した各種デバイスが動作されており、これらのデバイスは動作することにより熱を発する。この熱で本体２内の空気が暖められる。暖ためられた空気は上昇する性質があるため、開口部５０２を介して上部カバー３内へ移動される。
【００６７】
本体２から開口部５０２を介して導かれる空気はアンテナ台５１０の開口部５１４および後面５１３に設けられている開口部を介してファン５５１によりワイヤレスＡＶステーション１０１の後方より排出される。
【００６８】
このようにアンテナ台５１０は空気の流れを妨げないように上面部５１２及び後面５１３に開口部を設け、空気の循環を良くしている。
【００６９】
また、その他空気の循環を妨げないように、スロット５０３は第２のエリア６０２に設けられ、開口部５０２の排出口からファン５５１までの間に空気の流れを妨げる部材を配置することを極力少なくしている。
【００７０】
また、アンテナを水平位置と略垂直位置とで配置することにより、このワイヤレスＡＶステーション１０１の無線通信の指向性に関しても水平面と垂直面とをカバーすることが可能となる。
【００７１】
上記のように第１の実施形態では、アンテナを着脱可能に設けることが可能な電子機器を提供することが可能である。また、第１の実施形態では単一の無線通信デバイスに接続されるアンテナ２つをアンテナ台に設ける例を説明したが、第１の無線通信デバイスに接続されるアンテナと第２の無線通信デバイス夫々に接続されるアンテナを設置するようにしてもよい。
【００７２】
なお、本願発明は、前記実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。たとえば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００７３】
【発明の効果】
以上詳述した発明によれば、アンテナを着脱可能に設けることが可能な電子機器を提供することが可能である。
【図面の簡単な説明】
【図１】システム構成図。
【図２】ワイヤレスＡＶステーションの機器構成図図。
【図３】ワイヤレスＡＶステーションの斜視図。
【図４】アンテナ台の３面図。
【図５】ワイヤレスＡＶステーションの上面図
【図６】ワイヤレスＡＶステーションの側面図。
【符号の説明】
２…本体
３…上部カバー
４…表示部
５…前面カバー
１０１…ワイヤレスＡＶステーション
４１５…第１の無線通信デバイス
４１６…第２の無線通信デバイス
４１７、４１８、４１９…アンテナ
５０１…中板
５０２、５１４…開口部
５０３…スロット
５１０…アンテナ台
５１５、５１６…保持部
５１８、５１９…ツメ部
５２０、５２１…支持部
【図１】
2004302732.tif 000003
【図２】
2004302732.tif 000004
【図３】
2004302732.tif 000005
【図４】
2004302732.tif 000006
【図５】
2004302732.tif 000007
【図６】
2004302732.tif 000008